(57)【要約】【課題】ハンチングによる異常音の発生を抑え静粛性と閉鎖性に優れた排水用トラップを提供する。【解決手段】排水の流出口をなす管口（５）を斜に傾斜させると共に、該管口の傾斜面上端側に設けた揺動軸（１０）に揺動自在に支持され、前記管口に下側より接離し該管口を開閉可能な揺動弁体（６）、及び、該弁体を閉鎖方向に付勢するバランスウエイト（７）より構成された排水用トラップ（１）において、前記揺動弁体の少なくとも上面に緩衝性樹脂層（６ｂ）を形成し、該緩衝性樹脂層において前記管口（５）の端面と接するようにした。【選択図】        図１
2004197452.tif 000002
【特許請求の範囲】
【請求項１】
排水の流出口をなす管口を斜に傾斜させると共に、該管口の傾斜面上端側に設けた揺動軸に揺動自在に支持され、前記管口に下側より接離し該管口を開閉可能な揺動弁体、及び、該弁体を閉鎖方向に付勢するバランスウエイトより構成された排水用トラップにおいて、前記揺動弁体の少なくとも上面に緩衝性樹脂層を形成し、該緩衝性樹脂層において前記管口端面と接するようにしたことを特徴とする排水用トラップ。
【請求項２】
排水の流出口をなす管口を斜に傾斜させると共に、該管口の傾斜面上端側に設けた揺動軸に揺動自在に支持され、前記管口に下側より接離し該管口を開閉可能な揺動弁体、及び、該弁体を閉鎖方向に付勢するバランスウエイトより構成された排水用トラップにおいて、前記管口端面に沿って緩衝性樹脂層を設け、該緩衝性樹脂層において揺動弁体と接触するようにしたことを特徴とする排水用トラップ。
【発明の詳細な説明】
【０００１】
【発明の属する技術分野】
本発明は排水用トラップに関する。
【０００２】
【従来の技術】
従来、排水用トラップとしてはＳ字トラップが一般的であったが、Ｓ字トラップは排水管の折曲部分に溜った排水の封鎖作用を利用するものであるため、排水の頻度が低い場合にはトラップ内の排水が蒸発し封鎖作用が得られなくなる問題があり、Ｓ字トラップに代わり弁トラップ（メカニカルトラップ）が用いられるケースが増えてきた。（特許文献１、２参照）
【０００３】
弁トラップは、揺動弁体にバランスウエイトを設け、排水が無い時はバランスウエイトによって揺動弁体を閉鎖し、排水時には該排水の重量或いは流水圧で弁体が開き排水を流下させるものであるが、空調機や換気扇の使用で室内が陰圧になる場合、揺動弁体がハンチングを起こし、バタバタと異常音を発生する現象が認められた。これは、揺動弁体が管口に当接した際の反動で開き、上流側からの吸引力によって再度閉じる動作を繰り返すことにより発生するものである。
【０００４】
【特許文献１】実公昭６３−２３４８９号公報
【特許文献２】意匠登録第７１４２２１号公報
【０００５】
【発明が解決しようとする課題】
本発明は従来の技術の上記の点に鑑みて、ハンチングによる異常音の発生を抑え静粛性と閉鎖性に優れた排水用トラップを提供することを目的としてなされたものである。
【０００６】
【課題を解決するための手段】
上記目的を達成するために、本発明の排水用トラップでは、排水の流出口をなす管口を斜に傾斜させると共に、該管口の傾斜面上端側に設けた揺動軸に揺動自在に支持され、前記管口に下側より接離し該管口を開閉可能な揺動弁体、及び、該弁体を閉鎖方向に付勢するバランスウエイトより構成された排水用トラップにおいて、前記揺動弁体の少なくとも上面に緩衝性樹脂層を形成し、該緩衝性樹脂層において前記管口端面と接するようにした。また、前記管口端面に沿って緩衝性樹脂層を設け、該緩衝性樹脂層において揺動弁体と接触するようにしても良い。
【０００７】
【発明の実施の形態】
図１及び図２（図５）に本発明第１実施形態の排水用トラップ１を示す。図において、排水用トラップ１は、排水管２の終端部に設けられ、排水管接続部３、該排水管接続部３に連なる短円筒の下半分を斜に切除した形状をなす管体４、該管体４の傾斜した管口５を開閉する弁体６、該弁体６を閉鎖方向に付勢するバランスウエイト７より主に構成されている。
【０００８】
管口５には、前記傾斜の上端側を部分的に仕切る弓形の張出片８を形成し、該張出片８を形成した部分の両側外方には、下方に突出した一対からなる支腕９を設け、該支腕９間に渡設した支軸１０に弁体６を揺動自在に支持する。張出片８は、排水管内にバランスウエイト７の収容スペースを確保するものであるが、排水に弁体６に沿う流れを生じさせ流水圧によって弁体６が一時に不必要に開くのを防止する機能も有している。但し、設置環境によっては張出片８を設けず、バランスウエイト７を排水管からオフセットして設けることもできる。
【０００９】
弁体６は、管口５と同形状の略楕円形状をなす弁主体部６１とそれに連なる錘保持部６２とで構成され、該錘保持部６２は弁主体部６１に対して屈折して連設され、屈折部分には前記支軸１０を挿通する軸受部６３を形成している。そして、ステンレス等の金属板を芯材６ａとして上記基本形状に形成し、その表面に緩衝性樹脂層６ｂを形成してなる。
【００１０】
緩衝性樹脂層６ｂは、例えば、エラストマー樹脂で芯材６ａをコーティングするか、若しくは、二重成型することで形成される。図示例では、弁主体部６１から錘保持部６２まで芯材６ａ全体をエラストマー樹脂（６ｂ）で包覆しているが、管口５に当接する弁主体部６１の上面にのみ緩衝性樹脂層６ｂを形成することもできる。
【００１１】
以上の如く構成された排水用トラップ１は、排水が存在しない場合には、図１に実線に示す如くバランスウエイト７の重量によって弁体６が図中時計回り方向に付勢されて管口５に当接している。そして、排水時には、排水の重量または流水圧によって弁体６がバランスウエイト７の付勢力に抗して押し下げられることで下方に排水され、排水が停止すると、バランスウエイト７の付勢力により再び弁体６は管口５に当接する。
【００１２】
この際、空調機や換気扇の使用で室内が陰圧になっている場合、上流側からの吸引力によって弁体６が過度に付勢され、管口５に衝突するが、弁体６の表面に形成された緩衝性樹脂層６ｂによって衝突時の衝撃が緩和され、衝突音の発生と反発が抑制され、弁体６の振動は速やかに収束する。また、緩衝性樹脂層６ｂによって弁体６と管口５との閉鎖性が高まり、リーク防止にも有効である。更に、緩衝性樹脂層６ｂに抗菌・防汚性の樹脂を用いることにより弁体６への水垢等の付着を防止することもできる。
【００１３】
次に、図３及び図４（図５）に本発明第２実施形態の排水用トラップ２１を示す。第２実施形態の排水用トラップ２１は、弁体２６には第１実施形態で用いた緩衝性樹脂層６ｂを形成せず、前記芯材６ａに相当する金属板のみで弁体２６を形成する代わりに、管口５の端面に沿って緩衝性樹脂層５ａを設け、該緩衝性樹脂層５ａにおいて弁体２６と接触するように構成してなり、それ以外の基本構造は先述の第１実施形態の排水用トラップ１と同様である。
【００１４】
緩衝性樹脂層５ａは、ゴム、エラストマー樹脂等、緩衝性を有する部材によりパッキンを構成し該パッキンを管口５の端面に適宜手段で貼付けてなる。この第２実施形態の排水用トラップ２１においても、空調機や換気扇の使用で室内が陰圧になっている場合、上流側からの吸引力によって弁体２６が過度に付勢され、管口５に衝突するが、緩衝性樹脂層５ａによって衝突時の衝撃が緩和され、衝突音の発生と反発が抑制され、弁体６の振動は速やかに収束する。緩衝性樹脂層５ａによって弁体２６と管口５との閉鎖性が高まり、リーク防止に有効である点も第１実施形態の場合と同様である。
【００１５】
尚、前記各実施形態では排水管２の終端部に排水用トラップ１、２１を接続する場合を示したが、排水管の始端部や中間部に排水用トラップ１、２１を設けることもでき、排水管の中間部に排水用トラップ１を設ける場合には、上下に排水管接続部を有する筒状のケーシング内に排水用トラップ１を収容する形態や、ケーシングと一体に形成する形態が存在する。
【００１６】
【発明の効果】
本発明排水用トラップは、上述の通り、排水の流出口をなす管口を斜に傾斜させると共に、該管口の傾斜面上端側に設けた揺動軸に揺動自在に支持され、前記管口に下側より接離し該管口を開閉可能な揺動弁体、及び、該弁体を閉鎖方向に付勢するバランスウエイトより構成された排水用トラップにおいて、前記揺動弁体の少なくとも上面に緩衝性樹脂層を形成し、該緩衝性樹脂層において前記管口端面と接するようにしたので、ハンチングによる異常音の発生を抑え静粛性に優れた排水用トラップを構成でき、且つ、緩衝性樹脂層によって揺動弁体と管口との閉鎖性が高まり、リーク防止にも有効である。
【００１７】
また、上記排水用トラップにおいて、揺動弁体に緩衝性樹脂層を形成する代わりに、管口端面に沿って緩衝性樹脂層を設け、該緩衝性樹脂層において揺動弁体と接触するようにしたので、ハンチングによる異常音の発生を抑え静粛性に優れた排水用トラップを構成でき、且つ、緩衝性樹脂層によって揺動弁体と管口との閉鎖性が高まり、リーク防止にも有効である。
【図面の簡単な説明】
【図１】本発明第１実施形態の排水用トラップを示す側断面図である。
【図２】本発明第１実施形態の排水用トラップの開放状態を示す側断面図である。
【図３】本発明第２実施形態の排水用トラップを示す側断面図である。
【図４】本発明第２実施形態の排水用トラップの開放状態を示す側断面図である。
【図５】排水用トラップの分解状態を示す斜視図である。
【符号の説明】
１，２１  排水用トラップ
２  排水管
３  排水管接続部
４  管体
５  管口
５ａ，６ｂ  緩衝性樹脂層
６，２６  弁体
７  バランスウエイト
８  張出片
９  支腕
１０  支軸
【図１】
2004197452.tif 000003
【図２】
2004197452.tif 000004
【図３】
2004197452.tif 000005
【図４】
2004197452.tif 000006
【図５】
2004197452.tif 000007